(57)【特許請求の範囲】
【請求項１】
撮影画像を記憶している画像記憶手段と、
この画像記憶手段に記憶されている撮影画像に対して、かげくくり、ひなた、かげ、ひなたくくり、の切り絵の種類のうちの複数種の中から、作成したい切り絵の種類を指定する指定手段と、
この指定手段により切り絵の種類の中から作成したい切り絵の種類を指定すると、この指定された切り絵の種類に対応した切り絵風画像を、前記画像記憶手段に記憶されている撮影画像に基づいて作成する作成手段と、
を備え、
前記指定手段における前記切り絵の種類として、
前記かげくくりは、白い背景に黒く切り残された線によって形が表される表し方であり、
前記ひなたは、黒の背景に白く切り抜かれた面による表し方であり、
前記かげは、白い背景に白く切り抜かれた面によって形が表される表し方であり、
前記ひなたくくりは、黒い背景に白い線で形が縁どられる表し方であることを特徴とする画像処理装置。
【請求項２】
前記作成手段は、
前記記憶手段に記憶された撮影画像の輪郭を抽出する輪郭抽出手段と、
この輪郭抽出手段により抽出された輪郭を表す輪郭線に基づいて、切り絵部分となる塗りつぶし部分を施す塗りつぶし処理手段と、
を備えていることを特徴とする請求項１記載の画像処理装置。
【請求項３】
前記作成手段は、
つなぎ線を付けるか否かを指定するつなぎ線指定手段と、
このつなぎ線指定手段により、つなぎ線を付けると指定されると、この指定されたつなぎ線付きの切り絵風画像を、前記画像記憶手段に記憶されている撮影画像に基づいて作成するつなぎ線付き画像作成手段と、
を備えていることを特徴とする請求項１記載の画像処理装置。
【請求項４】
前記塗りつぶし処理手段は、前記輪郭線の凸凹部分を直線化し、この直線化した線図を基にして塗りつぶしを行う直線化処理手段を備えていることを特徴とする請求項２記載の画像処理装置。
【請求項５】
前記作成手段により作成された切り絵風画像を表示させる表示制御手段を備えることを特徴とする請求項１記載の画像処理装置。
【請求項６】
撮影画像を記憶している画像記憶手段と、この画像記憶手段に記憶されている撮影画像を表示する表示部とを備えている画像処理装置における画像処理方法であって、
かげくくり、ひなた、かげ、ひなたくくり、の切り絵の種類のうちの複数種の切り絵の種類を前記表示部に表示させる切り絵種類表示制御ステップと、
この切り絵種類表示制御ステップにより表示された切り絵の種類の中から、前記画像記憶手段に記憶されている撮影画像に対して、作成したい切り絵の種類が指定されると、この指定された切り絵の種類に対応した切り絵風画像を、前記画像記憶手段に記憶されている撮影画像に基づいて作成する作成ステップと、
を備え、
前記切り絵種類表示制御ステップにおける切り絵の種類として、
前記かげくくりは、白い背景に黒く切り残された線によって形が表される表し方であり、
前記ひなたは、黒の背景に白く切り抜かれた面による表し方であり、
前記かげは、白い背景に白く切り抜かれた面によって形が表される表し方であり、
前記ひなたくくりは、黒い背景に白い線で形が縁どられる表し方であることを特徴とする画像処理方法。
【請求項７】
前記作成ステップは、
前記画像記憶手段に記憶された撮影画像の輪郭を抽出する輪郭抽出ステップと、
この輪郭抽出ステップにより抽出された輪郭を表す輪郭線に基づいて、切り絵部分となる塗りつぶし部分を施す塗りつぶし処理ステップと、
を備えていることを特徴とする請求項６記載の画像処理方法。
【請求項８】
前記作成ステップは、
つなぎ線を付けるか否かを指定するためのつなぎ線指定手段により、つなぎ線を付けると指定されると、この指定されたつなぎ線付きの切り絵風画像を、前記画像記憶手段に記憶されている撮影画像に基づいて作成するつなぎ線付き画像作成ステップと、
を備えていることを特徴とする請求項６記載の画像処理方法。
【請求項９】
前記塗りつぶし処理ステップは、前記輪郭線の凸凹部分を直線化し、この直線化した線図を基にして塗りつぶしを行う直線化処理ステップを備えていることを特徴とする請求項７記載の画像処理方法。
【請求項１０】
前記作成ステップにより作成された切り絵風画像を表示させる表示制御ステップを備えることを特徴とする請求項６記載の画像処理方法。
【発明の詳細な説明】
【技術分野】
【０００１】
本発明は、撮影画像に基づいて切り絵風画像を作成する画像処理装置及び画像処理方法に関するものである。
【背景技術】
【０００２】
撮影画像から絵画風画像に変換してくれる装置が知られている（例えば下記特許文献１参照）。
【先行技術文献】
【特許文献】
【０００３】
【特許文献１】特開２００４−２１３５９８号公報
【発明の概要】
【発明が解決しようとする課題】
【０００４】
しかしながら、従来のこうした装置の場合、撮影画像を予め定められた画像処理により絵画風画像に変換するのみであり、面白みに欠けるという問題点があった。
【０００５】
この発明は、こうした従来の問題点に鑑みてなされたものであり、鑑賞者の意図を充分に反映した切り絵風画像を作成可能な画像処理装置及び画像処理方法を得ることを目的とする。
【課題を解決するための手段】
【０００６】
前記課題を解決するため、請求項１記載の発明に係る画像処理装置は、
撮影画像を記憶している画像記憶手段と、
この画像記憶手段に記憶されている撮影画像に対して、かげくくり、ひなた、かげ、ひなたくくり、の切り絵の種類のうちの複数種の中から、作成したい切り絵の種類を指定する指定手段と、
この指定手段により切り絵の種類の中から作成したい切り絵の種類を指定すると、この指定された切り絵の種類に対応した切り絵風画像を前記画像記憶手段に記憶されている撮影画像に基づいて作成する作成手段と、
を備え、
前記指定手段における前記切り絵の種類として、
前記かげくくりは、白い背景に黒く切り残された線によって形が表される表し方であり、
前記ひなたは、黒の背景に白く切り抜かれた面による表し方であり、
前記かげは、白い背景に白く切り抜かれた面によって形が表される表し方であり、
前記ひなたくくりは、黒い背景に白い線で形が縁どられる表し方であることを特徴とする。
【０００７】
また、請求項２記載の発明に係る画像処理装置は、請求項１記載の画像処理装置において、
前記作成手段は、
前記記憶手段に記憶された撮影画像の輪郭を抽出する輪郭抽出手段と、
この輪郭抽出手段により抽出された輪郭を表す輪郭線に基づいて、切り絵部分となる塗りつぶし部分を施す塗りつぶし処理手段と、
を備えていることを特徴とする。
【０００８】
また、請求項３記載の発明に係る画像処理装置は、請求項１記載の画像処理装置において、
前記作成手段は、
つなぎ線を指定するつなぎ線指定手段と、
このつなぎ線指定手段により、つなぎ線を指定すると、この指定されたつなぎ線付きの切り絵風画像を前記画像記憶手段に記憶されている撮影画像に基づいて作成するつなぎ線付き画像作成手段と、
を備えていることを特徴とする。
【０００９】
また、請求項４記載の発明に係る画像処理装置は、請求項２記載の画像処理装置において、
前記塗りつぶし処理手段は、前記輪郭線の凸凹部分を直線化し、この直線化した線図を基にして塗りつぶしを行う直線化処理手段を備えていることを特徴とする。
【００１０】
また、請求項５記載の発明に係る画像処理装置は、請求項１記載の画像処理装置において、
前記作成手段により作成された切り絵風画像を表示させる表示制御手段を備えることを特徴とする。
【００１１】
また、請求項６記載の発明に係る画像処理方法は、
撮影画像を記憶している画像記憶手段と、この画像記憶手段に記憶されている撮影画像を表示する表示部とを備えている画像処理装置における画像処理方法であって、
かげくくり、ひなた、かげ、ひなたくくり、の切り絵の種類のうちの複数種の切り絵の種類を前記表示部に表示させる切り絵種類表示制御ステップと、
この切り絵種類表示制御ステップにより表示された切り絵の種類の中から、前記画像記憶手段に記憶されている撮影画像に対して、作成したい切り絵の種類を指定するための指定手段が指定されると、この指定された切り絵の種類に対応した切り絵風画像を前記画像記憶手段に記憶されている撮影画像に基づいて作成する作成ステップと、
を備え、
前記切り絵種類表示制御ステップにおける切り絵の種類として、
前記かげくくりは、白い背景に黒く切り残された線によって形が表される表し方であり、
前記ひなたは、黒の背景に白く切り抜かれた面による表し方であり、
前記かげは、白い背景に白く切り抜かれた面によって形が表される表し方であり、
前記ひなたくくりは、黒い背景に白い線で形が縁どられる表し方であることを特徴とする。
【００１２】
また、請求項７記載の発明に係る画像処理方法は、請求項６記載の画像処理方法において、
前記作成ステップは、
前記画像記憶手段に記憶された撮影画像の輪郭を抽出する輪郭抽出ステップと、
この輪郭抽出ステップにより抽出された輪郭を表す輪郭線に基づいて、切り絵部分となる塗りつぶし部分を施す塗りつぶし処理ステップと、
を備えていることを特徴とする。 
【００１３】
また、請求項８記載の発明に係る画像処理方法は、請求項６記載の画像処理方法において、 
前記作成ステップは、
つなぎ線を指定するためのつなぎ線指定手段により、つなぎ線が指定されると、この指定されたつなぎ線付きの切り絵風画像を前記画像記憶手段に記憶されている撮影画像に基づいて作成するつなぎ線付き画像作成ステップと、
を備えていることを特徴とする。
【００１４】
また、請求項９記載の発明に係る画像処理方法は、請求項７記載の画像処理方法において、
前記塗りつぶし処理ステップは、前記輪郭線の凸凹部分を直線化し、この直線化した線図を基にして塗りつぶしを行う直線化処理ステップを備えていることを特徴とする。
【００１５】
また、請求項１０記載の発明に係る画像処理装置は、請求項６記載の画像処理方法において、
前記作成ステップにより作成された切り絵風画像を表示させる表示制御ステップを備えることを特徴とする。
【発明の効果】
【００１６】
本発明によれば、撮影画像から切り絵風画像を確実かつ容易に作成することができる。
【００１７】
また、本発明によれば、鑑賞者が作成したい切り絵の種類を指定すると、この指定された切り絵の種類に対応した切り絵風画像を撮影画像に基づいて自動的に作成することができる。
【００１８】
更に、本発明によれば、つなぎ線を指定すると、この指定されたつなぎ線付きの切り絵風画像を撮影画像に基づいて作成することができる。
【図面の簡単な説明】
【００１９】
【図１】本発明の一実施の形態に係るデジタルカメラと表示装置との外観を示す図である。
【図２】同デジタルカメラと表示装置との電気的構成の概略を示すブロック構成図である。
【図３】ＲＡＭのメモリ構成図である。
【図４】本発明の一実施の形態における絵画風画像作成処理手順を示すフローチャートである。
【図５】（Ａ）は図４におけるつなぎ線切り絵作成処理の手順を示すフローチャートであり、（Ｂ）は図５（Ａ）におけるつなぎ線追加処理の手順を示すフローチャートである。
【図６】撮影画像の表示例を示す図である。
【図７】撮影画像の輪郭抽出結果の表示例を示す図である。
【図８】（Ａ）〜（Ｃ）は撮影画像の輪郭線を直線化する工程などの一例を示す図である。
【図９】切り絵の種類を一覧表示した場合の表示例を示す図である。
【図１０】切り絵の種類の中から使用者が「かげくくり」を選択した場合の表示例を示す図である。
【図１１】切り絵の種類の中から使用者が「ひなた」を選択した場合の表示例を示す図である。
【図１２】切り絵の種類の中から使用者が「かげ」を選択した場合の表示例を示す図である。
【図１３】切り絵の種類の中から使用者が「ひなたくくり」を選択した場合の表示例を示す図である。
【図１４】つなぎ線がついた切り絵の選択を促す表示例を示す図である。
【図１５】枠がついた切り絵風画像の表示例を示す図である。
【図１６】つなぎ線がついた切り絵風画像の表示例を示す図である。
【発明を実施するための形態】
【００２０】
以下、本発明の実施形態について説明する。
図１は、本発明の一実施の形態に係るデジタルカメラ１と表示装置１００との外観を示す背面図である。
このデジタルカメラ１の背面には、メニューキー２、モードダイアル３、表示部４、カーソルキー５、ＳＥＴキー６等が設けられている。また、上面にはシャッターキー８、電源ボタン９が設けられている。さらに、正面側には、後述の撮像レンズを備えた撮影部１０が設けられている。このデジタルカメラ１で撮影された撮影画像などは、内臓された後述のＲＡＭ２２またはメモリカード２４に記憶されるようになっている。
一方、表示装置１００の表面には、装着されたメモリカード２４に記憶されている撮影画像などを表示するための表示部１３が設けられている。表示装置１００は、リモコン装置１０１により制御される。
【００２１】
図２は、デジタルカメラ１と表示装置１００との電気的構成の概略を示すブロック構成図である。
デジタルカメラ１は、撮像部１０とＣＰＵ１１とを備えている。前者の撮像部１０は、ＣＣＤを備えている。後者のＣＰＵ１１は、このＣＣＤにより撮像した画像を圧縮・伸張し、所定フォーマット、例えば統一規格ＤＣＦ（Design rule for Camera File system）やＪＰＥＧ（Joint Photographic Expert Group）に合致するフォーマットの画像ファイルを生成・再生する画像処理機能を備えている。
【００２２】
撮像部１０を構成しているＣＣＤの受光面には、撮像レンズ、フォーカスレンズ、絞りを通過して被写体の光学像が結像される。フォーカスレンズはＡＦモータ等からなる駆動機構に保持されており、ＣＰＵ１１からの制御信号によりＡＦドライバーが出力する駆動信号が駆動機構に供給されることにより光軸上を前後に移動する合焦動作を行う。絞りは、ＣＰＵ１１からの制御信号に基づき絞り駆動部が発生する駆動信号により駆動しＣＣＤに入射する被写体像の光量を調整する。
【００２３】
また、ＣＰＵ１１には、タイミング信号を発生するＴＧ（Timing Generator）が接続されており、このＴＧが発生したタイミング信号に基づきＶドライバー（垂直方向ドライバー）がＣＣＤを駆動し、それに伴いＣＣＤにより被写体像の輝度に応じたアナログの撮像信号が出力されユニット回路へ送られる。
【００２４】
ユニット回路は、ＣＣＤから出力された撮像信号を保持するＣＤＳと、このＣＤＳから撮像信号を供給されるアナログアンプであるゲイン調整アンプ（ＡＧＣ）と、ゲイン調整アンプで増幅され調整されたアナログの撮像信号をデジタル信号に変換するＡ／Ｄ変換器（ＡＤ）とからなり、ＣＣＤの出力信号は、ここで黒レベルを合わせてサンプリングされデジタル信号としてＣＰＵ１１に送られる。ゲイン調整アンプ（ＡＧＣ）は、ＩＳＯ感度に応じた増幅率で、ＣＤＳから供給される撮像信号を増幅する。
【００２５】
ＣＰＵ１１には、シャッターキー８を含む前記キー群をからなる入力部２１のほかに、表示部４、ＲＡＭ２２、ＲＯＭ２３、メモリカード２４が接続されている。
【００２６】
ＲＡＭ２２は作業用のメモリであり、メモリカード２４は画像記録用のメモリである。ＣＣＤからＣＰＵ１１に送られたデジタル信号である撮像信号は、ＲＡＭ２２に一時保存されるとともに、ＣＰＵ１１によって各種の画像処理が施された後、最終的には圧縮された画像データとしてメモリカード２４に記録される。なお、このメモリカード２４はカメラ本体に着脱自在なカード型のものである。
【００２７】
メモリカード２４に記録された撮影画像等は、必要に応じてＣＰＵ１１に読み出され、伸長処理、輝度信号及び色信号の付加等の処理を経てデジタルビデオ信号やアナログビデオ信号に変換され、表示部４によって表示される。また表示部４には、記録モードにおいて周期的に撮像された画像がスルー画像として表示される。
【００２８】
ＲＯＭ２３は、ＣＰＵ１１における各部の制御及びデータ処理に必要な各種の動作プログラムが記録されたプログラムＲＯＭである。すなわち、ＲＯＭ２３には、前記プログラムとともに、撮影時の適正な露出値に対応するＩＳＯ感度とシャッタースピードとの組み合わせを示すプログラム線図等の各種データが格納されている。
【００２９】
ＣＰＵ１１は、シャッタースピードであるＣＣＤの電荷蓄積時間や、前記絞りの開放度、前記ユニット回路のゲイン調整アンプ（ＡＧＣ）のゲインの制御によるＡＥ制御を行うとともに、所定のプログラムに従い、フォーカスレンズを駆動するＡＦ（オートフォーカス）制御、ＡＷＢ（オートホワイトバランス）制御を行う。メモリカード２４は、撮影された撮影画像などを記憶する。
【００３０】
ＲＡＭ２２内には、図３に示す絵画風変換データエリア２２１が設けられている。この絵画風変換データエリア２２１には、第１記憶部２２２、第２記憶部２２３、第３記憶部２２４、及び第４記憶部２２７が設けられている。第３記憶部２２４は、塗りつぶし画像記憶部２２５と座標記憶部２２６とに区分されている。
【００３１】
第１記憶部２２２には、撮影された撮影画像が記憶される。第２記憶部２２３には、撮影画像から輪郭抽出された輪郭画像が記憶される。また、第３記憶部２２４には、輪郭画像の輪郭線を直線化し、かつ、輪郭線で囲まれた領域を黒色に塗りつぶした後の塗りつぶし画像が記憶され、また、座標記憶部２２６には、当該塗りつぶし画像の座標位置を示す位置座標が記憶される。第４記憶部２２７は、撮影画像に基づいて変換された後の、最終的な絵画風画像を生成する際に使用される記憶領域である。
【００３２】
なお、座標記憶部２２６内の位置座標は、当該輪郭画像の全域内の全てのドットの座標、輪郭のみの座標、その他、複数点の座標等、当該輪郭画像中における位置を特定できる複数の座標であれば、どのような座標であってもよい。
一方、表示装置１００は、撮影部１０を除き、デジタルカメラ１の構成と同様な構成を備えている。
【００３３】
以上の構成に係る本実施の形態において、デジタルカメラ１はＣＰＵ１１がＲＯＭ２３に格納されているプログラムに従って処理を実行することにより、図４のフローチャートに示す絵画風画像作成処理を実行する。
【００３４】
すなわち、使用者がこのデジタルカメラ１を携帯し、例えば、被写体として、眠り猫が存在するシーンのもとでシャッターキー８を押下すると、ＣＰＵ１１は撮影処理を開始し、撮影部により、眠り猫の撮影画像６aを取得する。この取得された撮影画像６aは、ＲＡＭ２２における第１記憶部２２２に記憶される。
【００３５】
次に、ＣＰＵ１１は、撮影画像表示処理を実行して、表示部４に撮影した眠り猫の撮影画像６aを表示させる（ステップＳ１０１）。これにより、表示部４には、図６に示した撮影画像６aが表示される。
【００３６】
引き続き、ＣＰＵ１１は、撮影画像６aにおいて輪郭を抽出する（ステップＳ１０２）。この被写体別の輪郭抽出に際しては、図７に示すように、撮影画像６aＺの輝度信号及び色差信号から、近い輝度又は色差信号別に、同系色の色相別等に領域を分割し、さらに、領域の境界線となる輪郭線Ｌを抽出し、この輪郭線Ｌで囲まれた部分を一つの抽出領域として検出する。
【００３７】
さらに、この抽出した被写体別の画像を輪郭画像７Ａとして、第２記憶部２２３の輪郭画像記憶部２２５に記憶するとともに、各輪郭画像７Ａ内における位置座標を第２記憶部２２３の座標記憶部２２６に記憶する。これにより、図３に示すように、第２記憶部２２３の輪郭画像記憶部２２５には、眠り猫の輪郭画像７Ａが記憶され、また、座標記憶部２２６には、当該輪郭画像７Ａの位置座標（ｘ１，ｙ１）・・・が記憶される。
【００３８】
次に、ＣＰＵ１１は、塗りつぶし処理を実行する（ステップＳ１０３）。この塗りつぶし処理は、輪郭線内のうち、陰影などの黒色系の部分全体を黒色塗りつぶし処理のほかに、輪郭線のうちの凸凹のある部分を直線化する直線化処理も含む各種の付加処理を施す。
この付加処理は、はさみなどの裁断器を用いて、切り絵を行う際の裁断効率または隣り合う絵の部分の連結を図るための処理である。この処理は、たとえば、図８（Ｂ）に示すように、凸凹の各頂点８１，８２，８３，８４を線で結び、この結ばれた線と輪郭線とで囲まれた部分を黒色で塗りつぶす処理、隣り合う線図を連結する連結線８５を付加する処理、細い輪郭線に平行な平行線８６を付加する処理を行うなどで，図８（Ｃ）に示すような塗りつぶし処理を実施することができる。
【００３９】
次に、ＣＰＵ１１は、切り絵の種類を一覧表示する処理に移行する（ステップＳ１０４）。
図９は、切り絵の種類を一覧表示した場合の表示例を示す図である。この図に示すように、「作りたい切り絵の種類を選択してください」と、使用者に切り絵の種類選択を促すメッセージ部９０を表示する一方で、その下部位置に、切り絵の種類を示す項目９Ａ〜９Ｄ（または種類アイコンでもよい）を表示する。
【００４０】
次に、ＣＰＵ１１は、この切り絵の種類を一覧表示したあとに、使用者が切り絵の種類を選択するための入力部２１内の選択スイッチ２１aが操作されたか否かを判別する（ステップＳ１０５）。
【００４１】
次に、ＣＰＵ１１は、選択スイッチ２１aが操作されたことを判別した際は、この選択スイッチ２１aの操作により選択された切り絵の種類に応じた切り絵風変換処理を実行する（ステップＳ１０６）。
【００４２】
図１０〜図１３は、この切り絵風変換処理の実行により作成された切り絵を示す。
すなわち、図１０は、選択スイッチ２１aの操作により、「かげくくり（黒い線）」の項目が選択された際に作成されたひなたの切り絵風画像１０Ａの表示例である。
図１１は、選択スイッチ２１aの操作により、「ひなた（白い面）」の項目が選択された際に作成されたひなたの切り絵風画像１１Ａの表示例である。
図１２は、選択スイッチ２１aの操作により、「かげ（黒い面）」の項目が選択された際に作成されたひなたの切り絵風画像１２Ａの表示例である。
図１３は、選択スイッチ２１aの操作により、「ひなたくくり（白い線）」の項目が選択された際に作成されたひなたの切り絵風画像１３Ａの表示例である。
【００４３】
図１０に示す「かげくくり(黒い線)」は、白い背景に黒く切り残された線によって形が表される表し方で表現する。
図１１に示す「ひなた(白い面)」は、黒の背景に白く切り抜かれた面による表し方であり、抽出された被写体である「眠り猫」の画像の輪郭部分の背景部分を全面的に「くろかげ」である「黒い面」と白の背景に、黒を切り残した 面による表し方で表現する。
図１２に示す「かげ（黒い面）」は、白い背景に白く切り抜かれた面によって形が表される表し方で表現する。
図１３に示す「ひなたくくり(白い線)」は、黒い背景に白い線で形が縁どられる表し方で表現する。
ＣＰＵ１１は、それぞれの表現となるように、一つの撮影画像６aに基づいて、図１０〜図１３に示す切り絵風画像１０Ａ，１１Ａ，１２Ａ，１３Ａに画像変換する。
【００４４】
次に、ＣＰＵ１１は、つなぎ線選択画面を表示する処理に移行する（ステップＳ１０７）。
図１４は、つなぎ線選択画面を表示した場合の表示例を示す図である。この図に示すように、「つなぎ線が付いた切り絵にしますか？」と、使用者に切り絵に対するつなぎ線の付加を行うのか否かを促すメッセージ部１４Ａを表示する一方で、その下部位置に、つなぎ線の付加を「する」「しない」を示す選択項目１４Ｂ、１４Ｃ（またはアイコンでもよい）を表示する。
【００４５】
次に、ＣＰＵ１１は、つなぎ線選択画面を表示したあとに、使用者がつなぎ線の付加を選択するための入力部２１内の選択スイッチ２１aが操作されたか否かを判別する（ステップＳ１０８）。
【００４６】
次に、ＣＰＵ１１は、選択スイッチ２１aが操作されたことを判別した際は、この選択スイッチ２１aの操作により選択されたつなぎ線の付加に応じたつなぎ線付き切り絵作成処理を実行する（ステップＳ１０９）。
【００４７】
このつなぎ線付き切り絵作成処理は、図５（Ａ）のフローチャートに従った処理を実行する。
すなわち、まず、切り絵風画像に対する枠追加処理を行う（ステップＳ１１０）。この枠追加処理は、たとえば、図１５に示すように、切り絵風画像の外周位置に、当該切り絵風画像を取り囲むように、枠１５０の追加を行う。
【００４８】
次に、この追加された枠１５０と切り絵風画像との間へのつなぎ線追加処理を行う（ステップＳ１１１）。このつなぎ線追加処理は、たとえば、図１６に示すように、切り絵風画像１０Ａと追加された枠１５０との間に、これらを連結するための複数本のつなぎ線１６１〜１６５を追加する処理である。
このつなぎ線を追加するためのつなぎ線追加処理は、たとえば、図５（Ｂ）に示すように、切り絵風画像１０Ａと追加された枠１５０との間の距離を計測する。また、追加された枠１５０の対角位置を演算して求める（ステップＳ１１２）。次に、このような計測または演算に基づいて、切り絵風画像１０Ａと追加された枠１５０とを連結するための複数本のつなぎ線１６１〜１６５を追加する（ステップＳ１１３）。
この図１６に示す場合は、追加された枠１５０の左右の枠部分と切り絵風画像とを連結する２本ずつのつなぎ線１６１〜１６４と、追加された枠１５０の下部の枠部分と切り絵風画像とを連結する１本のつなぎ線１６５とを備えているが、この例に限られず、つなぎ線の個数は適宜増減可能であり、また、つなぎ線の配置位置もこの例に限られない。
【００４９】
以上のような実施の形態によれば、撮影画像に基づいて、鑑賞者の希望する種類の切り絵風画像を自動的にかつ容易に作成して、表示部４に表示させてくれるので、切り絵風画像を迅速かつ容易に観賞することができる。
【００５０】
また、この表示させた切り絵風画像をメモリカード２４に記憶し、この記憶されたメモリカード２４を表示装置１００に装着すれば、大画面の表示部１３により、切り絵風画像を観賞することもできる。
【００５１】
なお、本実施の形態においては、本発明をデジタルカメラに適用した場合を示したが、デジタルカメラに限らず、撮影手段を備えるものであれば携帯電話等の他の機器に適用するようにしてもよい。
【符号の説明】
【００５２】
１    デジタルカメラ
４    表示部
１０    撮像部
１１    ＣＰＵ
２４    メモリカード
【図１】
0005458951.tif 000002
【図２】
0005458951.tif 000003
【図３】
0005458951.tif 000004
【図４】
0005458951.tif 000005
【図５】
0005458951.tif 000006
【図７】
0005458951.tif 000007
【図８】
0005458951.tif 000008
【図９】
0005458951.tif 000009
【図１０】
0005458951.tif 000010
【図１１】
0005458951.tif 000011
【図１２】
0005458951.tif 000012
【図１３】
0005458951.tif 000013
【図１４】
0005458951.tif 000014
【図１５】
0005458951.tif 000015
【図１６】
0005458951.tif 000016
【図６】
0005458951.tif 000017